(57)【特許請求の範囲】
【請求項１】
吸引排気または吸引循環される汚染空気中に含まれている汚染物を分離回収するファンフィルタユニットであって、
前記汚染空気の吸引経路に、その上流側と下流側に仕切り、前記汚染空気を衝突させて前記汚染物を分離回収する筒状または螺旋状のフィルタを着脱可能に備え、
ファンフィルタユニットのフィルタを浸漬させて駆動手段によって回転洗浄させるための洗浄用容器を当該ファンフィルタユニットとは別設して備えていることを特徴とするファンフィルタユニット。
【請求項２】
吸引排気または吸引循環される汚染空気中に含まれている汚染物を分離回収するファンフィルタユニットであって、
前記汚染空気の吸引経路に、その上流側と下流側に仕切り、前記汚染空気を衝突させて前記汚染物を分離回収するフィルタを回転可能で、かつ、着脱可能に備え、
前記フィルタを回転させる駆動手段を備えるファンフィルタユニットのフィルタを浸漬させて前記駆動手段によって回転洗浄させるための洗浄用容器を当該ファンフィルタユニットとは別設して備えていることを特徴とするファンフィルタユニット。
【請求項３】
前記フィルタは、前記吸引経路に着脱自在に配設されるフィルタ支持体に回転可能に備えられていることを特徴とする請求項１または請求項２に記載のファンフィルタユニット。
【請求項４】
前記駆動手段は、電動モータであり、前記フィルタ支持体には前記電動モータに電力を供給する電源Ａ部材および／またはバッテリと、前記電動モータのＯＮ／ＯＦＦ切り替えを行う電源スイッチが備えられていることを特徴とする請求項１〜３のいずれか１項に記載のファンフィルタユニット。
【請求項５】
請求項１〜４のいずれか１項に記載のファンフィルタユニットを備えたレンジフードであって、
前記ファンフィルタユニットを、フード部の捕獲空間から排気装置内に至る前記汚染空気が吸引排気または吸引循環される吸引経路に着脱可能に配設してなることを特徴とするレンジフード。
【請求項６】
前記ファンフィルタユニットは、前記捕獲空間に開閉・着脱可能に備えられる整流板に着脱可能に取り付けられて、前記吸引経路に配設されることを特徴とする請求項５に記載のレンジフード。
【請求項７】
前記フード部または前記排気装置に、前記ファンフィルタユニット側の前記電源Ａ部材を介して前記電動モータおよび／または前記バッテリに電力を供給する電源Ｂ部材が備えられ、前記整流板が前記捕獲空間に取り付けられた状態で前記ファンフィルタユニット側の前記電源Ａ部材に接触給電または非接触給電となして前記電動モータおよび／または前記バッテリに電力が供給されるように構成されていることを特徴とする請求項５または請求項６に記載のレンジフード。
【請求項８】
前記ファンフィルタユニットのフィルタは、前記排気装置の運転に連動して回転するように構成されていることを特徴とする請求項５〜７のいずれか１項に記載のレンジフード。
【発明の詳細な説明】
【技術分野】
【０００１】
本発明は、吸引排気または吸引循環される汚染空気中に含まれている汚染物、特に、調理中にガスコンロ、電気コンロ、ＩＨクッキングヒータなどの加熱調理器、調理鍋などから舞い上がってくる廃ガス、油煙、湯煙（水蒸気）、臭気などの汚染空気中に含まれている油脂分などの汚染物を分離回収するためのファンフィルタユニットおよびこのファンフィルタユニットを備えたレンジフードに関する。
ここで、吸引排気とは、屋内（キッチンなどの室内）から吸引捕集された汚染空気がフィルタを通過して清浄化された後に屋外に排気されることであり、吸引循環とは、同汚染空気がフィルタを通過して清浄化された後に再び屋内に戻されることである。
【背景技術】
【０００２】
吸引排気または吸引循環される汚染空気中に含まれている汚染物を分離回収する。例えば、調理中に加熱調理器などから舞い上がってくる汚染空気（主に、油煙）から油脂分などを分離回収するために、加熱調理器の上方に位置して設置されるレンジフードに備えられているフィルタは、汚染空気から分離されて付着した油脂分などの汚染物からなる汚れを容易に剥離除去することができるように、表面処理が施されている（例えば、特許文献１など参照）。
これによって、日常的な清掃時間が短縮されるなどのメンテナンス性の改善が図られている。
【０００３】
ところで、レンジフードに適用されているフィルタとしては、スロットタイプ（切り起しタイプ）やパンチングメタルタイプ（多孔タイプ）、金網やラス網からなる網目タイプなどが一般的に知られている。
そして、スロットタイプやパンチングメタルタイプのフィルタは、主に、耐蝕アルミニウム板やステンレス鋼板などの金属薄板を用いて形成され、表面処理が施されているものである。
【先行技術文献】
【特許文献】
【０００４】
【特許文献１】特開平１０−５７７３２号公報（明細書中段落番号０００２、００１０、及び図１〜図４参照）
【発明の概要】
【発明が解決しようとする課題】
【０００５】
しかしながら、従来技術のスロットタイプ、或いはパンチングメタルタイプなどのフィルタは、表面処理によって付着した油脂分などの汚染物からなる汚れの剥離除去が容易になったとは言え、構造上、細かい通気孔の内側などに付着した汚れを容易に剥離除去することができず、時間を掛けて取り除かなければならない。
例えば、スロットタイプのフィルタの場合、平板な金属薄板に、一方向に屈折するように衝突舌片を斜めに切り起こすることにより平面部分を残すことなく一方向に傾斜させた多数の通気孔を設けて、この通気孔を汚染空気が通過するときに衝突舌片への衝突（接触）によって油脂分が衝突舌片に付着させて汚染空気から付着回収（分離回収）されるように形成されている。
すなわち、汚染空気が通る細かい通気孔などの集合によって構成されているために、細かい通気孔の内側などに付着した汚れを剥離除去するためにはブラシなどの洗浄グッズなどを用いた手作業による洗浄を強いられているなどの日常的なメンテナンス性のさらなる改善が求められていた。
【０００６】
また、フィルタの洗浄は主にキッチンシンクなどにおいて行う場合が多く、フィルタから剥離除去された汚れ、特に、油脂分がキッチンシンクにこびり付くように付着し易いために、フィルタを洗浄した後に、キッチンシンクに付着した油脂分を取り除くための後片付け洗浄を必要としていた。
【０００７】
そこで、本発明は、前記課題を解消するために創案されたものであり、ブラシなどの洗浄グッズなどを用いることなく、回転力を利用して丸洗い洗浄することができ、しかも、専用の洗浄用容器を用いて丸洗い洗浄することができる新たに開発されたファンフィルタユニットおよびこのファンフィルタユニットを備えたレンジフードを提供することを目的とする。
【課題を解決するための手段】
【０００８】
前記課題を解決するために、本発明のファンフィルタユニットでは、吸引排気または吸引循環される汚染空気中に含まれている汚染物を分離回収するファンフィルタユニットであって、
前記汚染空気の吸引経路に、その上流側と下流側に仕切り、前記汚染空気を衝突させて前記汚染物を分離回収する筒状または螺旋状のフィルタを着脱可能に備え、ファンフィルタユニットのフィルタを浸漬させて駆動手段によって回転洗浄させるための洗浄用容器を当該ファンフィルタユニットとは別設して備えていることを特徴とする。
【０００９】
また、本発明のファンフィルタユニットでは、吸引排気または吸引循環される汚染空気中に含まれている汚染物を分離回収するファンフィルタユニットであって、
前記汚染空気の吸引経路に、その上流側と下流側に仕切り、前記汚染空気を衝突させて前記汚染物を分離回収するフィルタを回転可能で、かつ、着脱可能に備え、前記フィルタを回転させる駆動手段を備えるファンフィルタユニットのフィルタを浸漬させて前記駆動手段によって回転洗浄させるための洗浄用容器を当該ファンフィルタユニットとは別設して備えていることを特徴とする。
【００１０】
ここで、前記フィルタは、前記吸引経路に着脱自在に配設されるフィルタ支持体に回転可能に備えられていることが好適なものとなる。
また、前記フィルタを手動または電動で回転させる駆動手段を備えていることが好適で、特に、前記駆動手段が電動モータであることが好適なものとなる。この場合、前記フィルタ支持体には前記電動モータに電力を供給する電源Ａ部材および／またはバッテリと、前記電動モータのＯＮ／ＯＦＦ切り替えを行う電源スイッチが備えられていることが好適なものとなる。
【００１１】
このような構成のファンフィルタユニットによれば、汚染空気中に含まれている汚染物の付着などによって汚れた筒状のフィルタを洗浄するときには、フィルタ支持体が収容される深さを有する容器などに洗浄液を準備し、この洗浄液中にフィルタ支持体を浸漬させてフィルタを回転させる丸洗い洗浄を行う。このとき、例えば、ハンドルなどによる手動または電動モータによる電動によってフィルタを駆動回転させる。すると、フィルタに付着している油脂分などの汚染物の汚れは、フィルタの回転とこの回転よって掻き混ぜられる洗浄液との衝突力（摩擦抵抗）によってフィルタから剥離除去される。
また、このとき、専用の洗浄用容器を用いることで、キッチンシンクなどを汚すことなく、フィルタを手動または電動により駆動回転させて丸洗い洗浄することができる。また、フィルタを電動モータによって回転させるときには、バッテリを使用することができ、バッテリが充填切れ、充填容量が不足している場合などには家庭用電源（コンセント）からの電源コードを電源Ａ部材に繋ぐことで、フィルタを駆動回転させることができる。バッテリ充填は家庭用電源からの電源コードを電源Ａ部材に繋ぐことで行うことができる。
【００１２】
また、本発明のレンジフードでは、前記のファンフィルタユニットを備えたレンジフードであって、
前記ファンフィルタユニットを、前記汚染空気を吸引捕集するフード部の捕獲空間に着脱可能に配設していることを特徴とする。
ここで、前記ファンフィルタユニットを、前記捕獲空間に開閉・着脱可能に取り付けられる整流板に着脱可能に配設することが好適なものとなる。
【００１３】
また、前記フード部または排気装置に、前記ファンフィルタユニット側の前記電源Ａ部材を介して前記電気モータおよび／または前記バッテリに電力を供給する電源Ｂ部材が備えられ、前記整流板が前記捕獲空間に取り付けられた状態で前記ファンフィルタユニット側の前記電源Ａ部材に差込み通電または接触通電されること、さらに、前記ファンフィルタユニットのフィルタは、前記捕獲空間に吸引力を伝播させる排気装置の運転に連動して回転することなどの構成を採用することが好適なものとなる。
【００１４】
このような構成のレンジフードによれば、調理中に舞い上がってくる汚染空気中に含まれている油脂分などの汚染物の付着によってファンフィルタユニットのフィルタが汚れ、フィルタを洗浄するときには、フード部の捕獲空間などのレンジフード内からファンフィルタユニットを取り出し、前記したように、洗浄液中にファンフィルタユニットのフィルタ支持体を浸漬させてフィルタを、手動または電動により駆動回転させて行う丸洗い洗浄でフィルタから汚れを効率よく剥離除去することができる。
このとき、捕獲空間に開閉・着脱自在に取り付けられる整流板にファンフィルタユニットが着脱自在に配置された構成を採用することで、整流板を開く、整流板から取り外すなどによって、ファンフィルタユニットをレンジフード内から無理なく、簡単に取り出すことができる。
【００１５】
また、整流板を捕獲空間に取り付けた状態で、ファンフィルタユニット側に備えられている電源Ａ部材が、フード部側に備えられている電源Ｂ部材に接触給電または非接触給電となす構成を採用することで、ファンフィルタユニットをレンジフード内に戻した後に、ファンフィルタユニットに備えられている電動モータやバッテリに電力を供給するための電源コードを家庭用電源（コンセント）に接続するなど手間を使用者に掛けずに、電動モータやバッテリに電力を供給することができる。つまり、ファンフィルタユニットの脱着を簡易に行うことができる。
【００１６】
また、ファンフィルタユニットのフィルタを回転させて汚染空気中に含まれている油脂分などの汚染物の付着回収を行う場合において、排気装置の運転と連動させてフィルタを駆動回転（電動モータを起動）させる構成を採用することで、排気装置の運転開始によってフィルタを同時に駆動回転させることができる。
【発明の効果】
【００１７】
本発明のファンフィルタユニットは以上のように構成されていることで、手作業による洗浄となるブラシなどの洗浄グッズを用いることなく、フィルタの洗浄を行うことができる。しかも、フィルタを回転させる駆動手段として電動モータを採用することで、フィルタに付着した汚れを、フィルタの回転とこの回転よって掻き混ぜられる洗浄液との衝突力（摩擦抵抗）によってフィルタから効率よく剥離除去することができる。
これにより、日常的なメンテナンス性の改善が期待される。
【００１８】
また、ファンフィルタユニットを収容し得る専用の洗浄用容器を採用することで、洗浄用容器内にてフィルタを回転させながら丸洗い洗浄することができる。
これにより、必要以上の洗浄液を使用することなく、フィルタを洗浄することができるので、洗浄液の無駄をなくし、しかも、キッチンシンクなどを汚すことがなくなる。
【００１９】
そして、このように構成されているファンフィルタユニットを備えたレンジフードとすることで、前記したファンフィルタユニットの作用による日常的なメンテナンス性の改善が期待できる。
また、ファンフィルタユニットのフィルタを、電動モータで駆動回転させる構成を採用することで、排気装置の吸引力によってフード部に捕獲空間に吸引捕集されてくる加熱調理器具などからの汚染空気の衝突作用を、吸引力による汚染空気の流れ（流速）とフィルタの回転との相乗作用によって高めて、油脂分などの汚染物の付着回収率を高めることが期待できる。
【００２０】
また、捕獲空間に開閉・着脱自在に取り付けられる整流板にファンフィルタユニットを着脱自在に備えて、ファンフィルタユニットを捕獲空間に配設する構成を採用することで、ファンフィルタユニットを洗浄するときなどにおいて、ファンフィルタユニットの脱着を簡便に行うことができる。
【００２１】
また、フード部の捕獲空間に整流板を取り付けた状態で、フード部または排気装置側の電源Ｂ部材にファンフィルタユニット側の電源Ａ部材が接触給電または非接触給電となしてファンフィルタユニットに備えられている電動モータやバッテリに電力を供給することができるようにしていることで、電動モータやバッテリに電力を供給するための電源を、電源コードなどを用いて別口から取るなどの面倒な作業が不要となる。
また、排気装置の運転に連動させてフィルタを回転させることができるので、フィルタの電動モータの電源スイッチを入れるなどの操作が不要となる。
これにより、日常的な取扱い性の向上が図られたレンジフードを提供することができる。
【図面の簡単な説明】
【００２２】
【図１】本実施形態に係るファンフィルタユニットを備えたレンジフードを示し、（ａ）は、縦断側面図であり、(ｂ)は、要部の拡大断面図である。
【図２】同レンジフードの要部を示し、（ａ）は、縦断正面図であり、（ｂ）は、部分拡大断面図である。
【図３】本実施形態に係るファンフィルタユニットを示す斜視図である。
【図４】同ファンフィルタユニットを洗浄用容器に収容させた状態で示す縦断面図である。
【図５】整流板を下向きに回動させて捕獲空間を開いて、整流板からファンフィルタユニットを取り外した状態を示すレンジフードの縦断側面図である。
【図６】洗浄用容器を用いてファンフィルタユニットを洗浄するときの状態を示す説明概略図であり、（ａ）は、洗浄液が入れられた洗浄用容器にファンフィルタユニットを収容させる状態を示し、（ｂ）は、ファンフィルタユニットを洗浄用容器内に収容させて洗浄液に浸漬させた状態を示し、（ｃ）は、洗浄液中でフィルタを駆動回転させている丸洗い洗浄の状態を示す。
【図７】他の実施形態に係るファンフィルタユニットを示す斜視図である。
【図８】同ファンフィルタユニットの縦断面図である。
【図９】同ファンフィルタユニットを備えたレンジフードを示し、（ａ）は、縦断側面図であり、(ｂ)は、要部の拡大断面図である。
【図１０】同レンジフードの要部を示し、（ａ）は、縦断正面図であり、（ｂ）は、部分拡大断面図である。
【発明を実施するための形態】
【００２３】
以下、本発明の実施形態について、適宜図面を参照しながら詳細に説明する。
図１は、本実施形態に係るファンフィルタユニットを備えたレンジフードを示す縦断側面図および要部の拡大断面図であり、図２は、同レンジフードの縦断正面図および要部の拡大断面図である。
【００２４】
≪レンジフードの構成≫
レンジフードＡは、図示省略の加熱調理器の略真上において設置され、調理中にガスコンロ、電気コンロ、ＩＨクッキングヒータなどの加熱調理器、調理鍋などから舞い上がってくる廃ガス、油煙、湯煙（水蒸気）、臭気などの汚染空気Ｇを吸引捕獲し、排気ダクト３を通して屋外に排気するように構成されている。
このレンジフードＡは、図１に示すように、平型（薄型）のフード部１と、このフード部１の上に設置される排気装置２とを備えて構成されている。
【００２５】
≪フード部の構成≫
フード部１は、図１に示すように、下向きに開口する捕獲空間Ｍを有する扁平箱型に形成されている。そして、フード部１は、使用者側（図１紙面左側）に面する前面部１ｂに排気装置２の運転開始（強、中、弱）、運転停止などのＯＮ／ＯＦＦ切り替えのための電源スイッチ４を備えている。
【００２６】
また、フード部１は、図１および図２に示すように、天板１ａに連絡口５を備えている。
この連絡口５は、捕獲空間Ｍと排気装置２の後記する排気ボックス２ａ内とを連絡させるものであり、排気装置２が設置される天板１ａ部分において、排気装置２の後記する排気ファン２ｂが縦置きに設置される排気ボックス２ａ内の後半部側（図１紙面右側）を除く前半部側（図１紙面左側）寄りに位置し、かつ、フード部１の左右方向に長い平面視で略横長矩形の開口形状にて開口されている。
【００２７】
また、フード部１は、図１に示すように、捕獲空間Ｍに整流板６を備えている。これにより、整流板６の各辺周縁と捕獲空間Ｍの下向き開口周縁との間に吸込み隙間Ｓを確保されて、調理中に加熱調理器などから舞い上がってくる汚染空気Ｇが吸込み隙間Ｓから捕獲空間Ｍ内に勢い良く吸引（吸気）されるようになっている。
【００２８】
そして、このように形成されているフード部１の連絡口５の開口短辺縁近くには、図２に示すように、電源Ｂ部材である電源Ｂ端子７が備えられている。この電源Ｂ端子７には、フード部１前面の電源スイッチ４と排気装置２の後記するファンモータ１３などに配線される家庭用電源からのリード線（図示省略）が配線されている。
これにより、後記するファンフィルタユニットＢ側に備えられる電源Ａ部材である電源Ａ端子２２が、整流板６の捕獲空間Ｍへの取り付け状態において、電源Ｂ端子７に差込み給電または接触給電となしてファンフィルタユニットＢの後記する電動モータ２０やバッテリ２１に電力が供給されるようになっている。
【００２９】
また、電源Ｂ端子７に、電源スイッチ４とファンモータ１３などに配線されるリード線の配線回路の途中などから分岐させたリード線を配線することができる。
これにより、電源スイッチ４をＯＮ側に切り換えて排気装置２の運転させるその運転に連動させてファンフィルタユニットＢの電動モータ２０を起動させ、後記するフィルタＢ２を駆動回転させることができる。つまり、調理時に電源スイッチ４による排気装置２の運転開始に連動させてファンフィルタユニットＢのフィルタＢ２を駆動回転させることができる。
【００３０】
≪整流板の構成≫
整流板６は、フード部１の捕獲空間Ｍの下向き開口周縁の開口形状よりも一回りほど小さい平板状に形成されている。
この整流板６は、各辺周縁のうち、後辺縁側が捕獲空間Ｍの後側に備えられる左右の支持部材８によって回動可能で、かつ、適宜係脱可能に支持され、前辺縁側が捕獲空間Ｍに前側に備えられる左右の係脱部材９によって係脱可能に支持されて捕獲空間Ｍに開閉・着脱自在に取り付けられるように形成されている。
これにより、整流板６は、後記の図５に示すように、フード部１の後側（紙面右側）に向けて下向きに回動させて捕獲空間Ｍを開く。また、その開いた状態で支持部材８の互いの掛止状態を解除させることによって、捕獲空間Ｍから取り外されるようになっている。
【００３１】
≪排気装置の構成≫
排気装置２は、図１に示すように、フード部１の天板１ａ上に設置される排気ボックス２ａと、この排気ボックス２ａ内に縦置きに内設されるファン装置２ｂとを備えて構成されている。
【００３２】
≪排気ボックスの構成≫
排気ボックス２ａは、図１および図２に示すように、フード部１の連絡口５に位置する前半部側に該連絡口５に連通させる連通口１０を備え、後半部側にはファン装置２ｂを縦置きに内設し得る大きさを有する横断面視で略四角形状に形成されている。
連通口１０は、連絡口５の開口形状と略同形にて上向きに折り曲げ開口されて、図１および図２に示すように、整流板６が捕獲空間Ｍに取り付けられた状態でファンフィルタユニットＢの後記するフィルタ支持体Ｂ１の流出口１６が排気ボックス２ａ内に臨むようになっている。
このように形成されている排気ボックス２ａは、天板１ａの上にネジ止めなどによって取り付けられる。
【００３３】
≪ファン装置の構成≫
ファン装置２ｂは、図１に示すように、ファンケーシング１１と、このファンケーシング１１内に、ファンモータ１３に軸支されて同軸上に収容される排気ファン（遠心ファンや多翼ファンなど）１２とを備えて構成されている。
【００３４】
≪ファンケーシングの構成≫
ファンケーシング１１は、図１および図２に示すように、ボリュート形状に形成されている。そして、ファンケーシング１１は、排気ファン１２の回転軸芯にて同芯上に開口する吸引口１４を備えている。この吸引口１４は、ベルマウスが取り付けられることで略ラッパ形状に開口される。
このように形成されているファンケーシング１０は、図１に示すように、排気ボックス２ａの後半部側の上壁にネジ止めなどによって吊持状に取り付けられるとともに、接続筒４０を介して排気ダクト３に接続されるようになっている。
【００３５】
そして、本実施形態のレンジフードＡは、汚染空気Ｇが吸引捕集されるフード部１の捕獲空間Ｍから排気装置２の排気ボックス２ａ内、そして吸引口１４に至る吸引経路（排気経路）にファンフィルタユニットＢを配設して、汚染空気Ｇが衝突して該汚染空気Ｇ中に含まれている油脂分などの汚染物ｇが付着されて分離回収されるようにしている。
ここで、吸引経路とは、フード部１の吸込み隙間Ｓから捕獲空間Ｍに吸引捕集される汚染空気Ｇが、捕獲空間Ｍを通り、そして、連絡口５を通り抜けて排気ボックス２ａ内へと吸引流入されてファンケーシング１１の吸引口１４からファンケーシング１１内に吸引されるまでの道筋を言う。簡潔に述べると、フード部１の吸込み隙間Ｓから排気装置２の吸引口１４へと吸引流通される汚染空気Ｇの道筋を言う。
【００３６】
≪ファンフィルタユニットの構成≫
図３は、本実施形態に係るファンフィルタユニットを示す斜視図であり、図４は、同ファンフィルタユニットを洗浄用容器に収容させた状態で示す縦断面図である。ここでは、図１および図２を適宜参照しながら説明する。
ファンフィルタユニットＢは、捕獲空間Ｍに吸引捕獲された汚染空気Ｇが、捕獲空間Ｍから排気装置２の排気ボックス２ａ内に吸引流入されるときに、汚染空気Ｇを衝突させて該汚染空気Ｇ中に含まれている油脂分などの汚染物ｇを分離回収するように構成されている（図１（ｂ）参照）。
このファンフィルタユニットＢは、汚染空気Ｇの吸引経路に着脱可能に配設されるフィルタ支持体Ｂ１と、このフィルタ支持体Ｂ１内に回転可能に内設されるフィルタＢ２とを備えて構成されている。
【００３７】
≪フィルタ支持体の構成≫
フィルタ支持体Ｂ１は、図１および図２に示すように、整流板６の上面から排気ボックス２ａの流通孔１０に至り、該流通孔１０から排気ボックス２ａ内に臨む程度の高さで、連絡口５および連通口１０の開口平面視形状と略同形の略横長矩形形状を呈する上下面開口のボックス状に形成されている。
そして、フィルタ支持体Ｂ１は、下面開口を汚染空気Ｇの流入口１５とし、上面開口を流出口１６としている。この流出口１６は、フィルタ支持体Ｂ１の上面開口全体にて開口されており、流入口１５は、フィルタ支持体Ｂ１の長辺壁１７両縁において、整流板６との間において所定の開口空間（流通空間）を確保する開口高さと開口幅を有する凹欠形状にて開口されている。
これにより、図１に示すように、フィルタ支持体Ｂ１が整流板６の上面に載置固定された状態において、整流板６の四辺周縁に沿う吸込み隙間Ｓから捕獲空間Ｍに吸引捕獲された汚染空気Ｇが、流入口１５からフィルタ支持体Ｂ１内に吸引流入されてフィルタＢ２を通過した後に、排気ボックス２ａ内に臨む流出口１６から排気ボックス２ａ内に吸引流出されるようにしている。
なお、図示を省略しているが、フィルタ支持体Ｂ１は、ネジ止めや磁石その他の取付手段によって整流板６に着脱可能に載置されるものである。
【００３８】
また、フィルタ支持体Ｂ１は、図３および図４に示すように、両側短辺壁１８のうち、一方側の短辺壁１８の外側に、フィルタ支持体Ｂ１の流出口１６よりも一段ほど低い高さで、水、汚れなどの浸入を防ぐ密閉されたボックス１９を備えている。このボックス１９内には、電動モータ２０、バッテリ２１をそれぞれ備え、ボックス壁には電動モータ２０、バッテリ２１にリード線などによって繋がれる電源Ｂ端子である電源Ａ端子２２と、この電源Ａ端子２２、バッテリ２１の双方と電動モータ２０にリード線などによって繋がれる電動モータ２０の運転・停止のＯＮ／ＯＦＦ切り替えを行う電源スイッチ２３をそれぞれ備えている。
【００３９】
≪フィルタの構成≫
フィルタＢ２は、図１から図４に示すように、多数の空気衝突片（廃ガス衝突片）２４を同軸円周上に等間隔をおいて備えて横長円筒状に形成されているクロスフローファンである。このフィルタＢ２は、フィルタ支持体Ｂ１の長辺壁１７の内々間に相当する外径（吸引経路を上流側と下流側とに仕切る程度の外径）を有するとともに、筒方向両端面の回転軸芯には回転支軸２５を備えている。
これにより、フィルタＢ２は、フィルタ支持体Ｂ１の両側の短辺壁１８間にわたり回転可能に軸支されるとともに、一端側の回転支軸２５が電動モータ２０にカプラなどの接続部材を介して同軸上に接続されて、電動モータ２０によって駆動回転するようになっている。
【００４０】
そして、このように構成されているファンフィルタユニットＢは、図４および後記の図６に示すように、フィルタ支持体Ｂ１を収容させてフィルタＢ２を回転洗浄するための洗浄用容器２６を備えている。
この洗浄用容器２６は、図６に示すように、洗浄液Ｗを入れ、フィルタ支持体Ｂ１のみを浸漬させた状態でフィルタＢ２を回転させながら洗浄するための専用の容器であり、金属や合成樹脂などの適宜の材料によって形成されている。
【００４１】
［作用説明］
つぎに、以上のように構成されている本実施形態に係るファンフィルタユニットＢおよびこのファンフィルタユニットＢを備えたレンジフードＡについて簡単に説明する。
図５は、整流板を下向きに回動させてファンフィルタユニットを取り外した状態を示すレンジフードの縦断側面図であり、図６は、洗浄用容器を用いて、ファンフィルタユニットを洗浄するときの状態を示す説明図である。ここでは、図１および図２を適宜参照しながら説明する。
ファンフィルタユニットＢは、図１および図２に示すように、整流板６の定められた取り付け位置にネジ止めや磁石などによって着脱可能に取り付けられた状態でレンジフードＡに備えられる。そして、整流板６が、図５に示す開の状態から図１に示す閉の状態にフード部１の捕獲空間Ｍに取り付けられることで、図２に示すように、ファンフィルタユニットＢ側の電源Ａ端子２２が、フード部１側の電源Ｂ端子７に差込み給電または接触給電となして、電動モータ２０に電源スイッチ２３を経由して電力が供給される状態となり、また、バッテリ２１には直接電力が供給される状態となって充填容量が不足している場合にはバッテリ充填が行われるものである。
【００４２】
そして、排気装置２が電源スイッチ４のＯＮ操作によって運転を開始し、ファンケーシング１１の吸引口１４に発生する吸引力がファンフィルタユニットＢのフィルタ支持体Ｂ１内を通して捕獲空間Ｍに伝播され、その吸引力によって加熱調理器などから舞い上がってくる汚染空気Ｇが整流板６の各辺周縁の吸込み隙間Ｓから捕獲空間Ｍに吸い込まれ、捕獲空間Ｍを通ってファンフィルタユニットＢのフィルタ支持体Ｂ１内へと吸引流入される。
整流板６との間に確保されているフィルタ支持体Ｂ１の流入口１５からフィルタ支持体Ｂ１内に吸引流入されてきた汚染空気Ｇは、フィルタＢ２の多数の空気衝突片２４に衝突し、この衝突によって流れ方向を変え蛇行しながらフィルタＢ２内を通過してフィルタ支持体Ｂ１の流出口１６から排気装置２の排気ボックス２ａ内に吸引流入される。このとき、汚染空気Ｇ中に含まれている油脂分などの汚染物ｇが、図２の（ｂ）に示すように、各空気衝突片２４に付着されて汚染空気Ｇ中から分離捕獲される。
汚染物ｇがフィルタＢ２によって分離回収されてフィルタ支持体Ｂ１の流出口１６から排気ボックス２ａ内に吸引流入されてきた汚染空気Ｇは、吸引口１４からファンケーシング１１内、排気ダクト３を通って屋外に排気される。
【００４３】
そして、ファンフィルタユニットＢのフィルタＢ２が油脂分などの汚染物ｇの付着によって汚れ、フィルタＢ２を洗浄するときには、図５に示すように、整流板６をフード部１の後側に向けて下向きに回動させて捕獲空間Ｍを開き、ファンフィルタユニットＢを整流板６から取り外す。
取り外したファンフィルタユニットＢを、図６の（ａ）および(ｂ)に示すように、適量の洗浄液Ｗが入れられた専用の洗浄用容器２６内の洗浄液Ｗに浸漬させる。このとき、洗浄用容器２６の深さは、フィルタ支持体Ｂ１の長さに形成されていることで、電動モータ２０、バッテリ２１などが内設されているボックス１９が洗浄液Ｗに浸かることがない。
【００４４】
このようにして、ファンフィルタユニットＢを洗浄用容器２６内の洗浄液Ｗに浸漬させた状態で、図６の（ｃ）に示すように、電源スイッチ２３をＯＮ側に切り替える操作を行うことで、電動モータ２０はバッテリ２１から供給される電力によって起動しフィルタＢ２を駆動回転させる。このとき、バッテリ２１が充填切れ、充填容量が不足している場合などには家庭用電源（コンセント）からの電源コードを電源Ａ端子２２に繋ぐことで、フィルタＢ２を駆動回転させることができる。
フィルタＢ２が洗浄液Ｗ内で駆動回転すると、フィルタＢ２の空気衝突片２４などに付着している汚れは、フィルタＢ２の駆動回転とこの回転によって掻き混ぜられる洗浄液Ｗとの衝突力（摩擦抵抗）によって空気衝突片２４などの表面から効率よく剥離除去される丸洗い洗浄によって取り除かれる。
【００４５】
このように、専用の洗浄用容器２６を用いたフィルタＢ２の回転洗浄によってフィルタＢ２から汚れが取り除かれたファンフィルタユニットＢは、前記したように、整流板６の定められた取り付け位置に取り付けられ、整流板６が、図５に示す開の状態から図１に示す閉の状態にフード部１の捕獲空間Ｍに戻される取り付けが成されることで、フィルタ支持体Ｂ１の流出口１６側を連絡口５、連通口１０から排気ボックス２ａ内に臨ませるように、該連絡口５、連通口１０に遊挿されるとともに、電源Ａ端子２２がフード部１側の電源Ｂ端子７に差込み給電または接触給電となした状態でレンジフードＡ内に備えられる。
以後、ファンフィルタユニットＢのフィルタＢ２が油脂分などの汚染物ｇの付着によって汚れ、洗浄するときには、前記の手順にてファンユニットユニットＢを整流板６から取り外し、専用の洗浄用容器２６を用いてフィルタＢ２を回転洗浄することを繰り返す。
【００４６】
［他の実施形態の説明］
つぎに、図７〜図１０に示す他の実施形態に係るファンフィルタユニットＢ−１と、このファンフィルタユニットＢ−１を備えたレンジフードＡ−１について説明する。
図７は、他の実施形態に係るファンフィルタユニットを示す斜視図であり、図８は、同ファンフィルタユニットの縦断面図であり、図９は、同ファンフィルタユニットを備えたレンジフードの縦断側面図および要部の拡大断面図であり、図１０は、同レンジフードの縦断正面図および要部の拡大断面図である。
なお、この他の実施形態に係るファンフィルタユニットＢ−１は、図７〜図１０に示すように、フィルタ支持体Ｂ１−１、フィルタＢ２−１の構成形態を変え、また、レンジフードＡ−１は、図９および図１０に示すように、フード部１−１にオイルパネル２７を備えて下向きに開口する捕獲空間Ｍを形成している。それ以外の構成要素においては前記詳述の実施形態と基本的に同じことから同じ符号を付することで重複説明は省略する。
【００４７】
すなわち、ファンフィルタユニットＢ−１のフィルタ支持体Ｂ１−１は、図９および図１０に示すように、整流板６の上面から排気ボックス２ａの流通孔１０に至り、該流通孔１０から排気ボックス２ａ内に臨む程度の高さで、連絡口５および連通口１０の開口幅と略同幅にとする両側の支持部材２８と、この両支持部材２８の四隅コーナー間を連結する４本の連結軸部材２９とから流通孔１０の開口平面視形状と略同形の略横長矩形形状に形成されている。
そして、両側の支持部材２８のうち、一方側の支持部材２８の外側に、前記のボックス１９を備えて、このボックス１９内に電動モータ２０、バッテリ２１をそれぞれ備え、また、ボックス壁には電動モータ２０、バッテリ２１にリード線などによって繋がれる電源Ａ端子２２と、この電源Ａ端子２２、バッテリ２１の双方と電動モータ２０にリード線などによって繋がれる電動モータ２０の運転・停止のＯＮ／ＯＦＦ切り替えを行う電源スイッチ２３をそれぞれ備えている。
なお、電源Ａ端子２２は、ボックス壁の側面に備えられて、図１０に示すように、上向きに折り曲げ開口されている排気ボックスの連通孔１０に備えられている電源Ｂ端子７に接触通電（摺接通電）されるようになっている。
【００４８】
フィルタＢ２−１は、図７から図１０に示すように、多数の空気衝突孔（廃ガス衝突孔）３０を有する横長円筒状に形成されている。詳しくは、多数の空気衝突孔３０を有する周知のパンチングメタルやエキスパンドメタルなどよって横長円筒状に形成されている。
そして、フィルタＢ２−１は、フィルタ支持体Ｂ１−１の４本の連結軸部材２９の内々間に相当する外径を有するとともに、筒方向両端面の回転軸芯には回転支軸２５を備えている。
これにより、フィルタＢ２は、フィルタ支持体Ｂ１の両側の支持部材間にわたり回転可能に軸支されるとともに、一端側の回転支軸２５が電動モータ２０にカプラなどの接続部材を介して同軸上に接続されて、電動モータ２０によって駆動回転するようになっている。
【００４９】
レンジフードＡ−１は、図９および図１０に示すように、フード部１の天板１ａに開口されている連絡口５側とフード部１の下向き開口側とを仕切るようにオイルパネル２７を備えて、このオイルパネル２７によって下向きに開口する捕獲空間Ｍを形成する構成としている。
【００５０】
オイルパネル２７は、プレスによる絞り曲げ加工などによってフード部１の下面開口形状とほぼ同じ開口形状にて形成される。このオイルパネル２７は、図９に示すように、周囲に止着縁部６−１を上向きに折り曲げ備えている。
これにより、フード部１の下向き開口の内側に沿って形成されている上向き開口縁にスポット溶接やネジ止めなどによって取り付けられるようになっている。
【００５１】
そして、オイルパネル２７は、フード部１の連絡口５に対応する部位には連結口３１を備えている。この接続口３１は、連結口５の開口平面視形状にて上向きに折り曲げ開口されて、下向きに折り曲げ開口されている連絡口５に嵌め合せ連結されるようになっている。
これにより、図９および図１０に示すように、捕獲空間Ｍと排気装置２の排気ボックス２ａ内とが気密に連通されるようになっている。また、ファンフィルタユニットＢ−１は、フィルタＢ２−１の円周外面をオイルパネル２７の接続口３１の開口縁内面に接近させた状態でレンジフードＡ−１内に備えられるようになっている。
【００５２】
以上のように構成されているファンフィルタユニットＢ−１、このファンフィルタユニットＢ−１を備えたレンジフードＡ−１によれば、前記詳述の実施形態と同様に、フィルタＢ２−１の洗浄液Ｗ中での回転によって油脂分などの汚染物Ｂの剥離除去を効率的に、しかも、洗浄液Ｗの無駄をなくし、キッチンシンクを汚すことなく丸洗い洗浄することができ、また、ファンフィルタユニットＢ−１の脱着性などによる日常的なメンテナンス性の改善が図れるなどの効果を期待することができる。
【００５３】
なお、本発明の実施形態の具体的な構成は、前記した実施形態に限られるものではなく、請求項１〜１０に記載の本発明の要旨を逸脱しない範囲で設計変更などがあっても本発明に含まれるものである。
例えば、フィルタＢ２，Ｂ２−１は、周知のスロットタイプ（切り起し）にて円筒状に形成、またはエキスパンドメタルにて円筒状に形成、さらにはそれらの組み合わせによって二重筒円状に形成することができる。また、耐熱性を有する有機または無機繊維材などを用いて円筒状に形成することができる。
【００５４】
また、フィルタ支持体Ｂ１、Ｂ１−１を洗浄液Ｗ中に浸漬させて行う丸洗い洗浄の際に、フィルタＢ１、Ｂ１−１を回転させる電気モータ２０への電力の供給を、バッテリ２１に替えて乾電池などによって行うことができるように構成することができる。また、バッテリ２１と乾電池とを併用するようにすることもできる。
また、タイマ機能の付加によって、洗浄の際の電動モータ２１によるフィルタＢ１、Ｂ１−１の回転をタイマによって制御し、所定の洗浄時間が経過した時点で自動停止するようにすることができる。
さらに、フィルタＢ１、Ｂ１−１の回転速度を可変するためのボリューム摘みなどを必要に応じて備えることができる。これにより、フィルタＢ１、Ｂ１−１を高速回転させるなどによって、汚れをより短時間で剥離除去する洗浄が可能となるなどの効果が期待できる。
【００５５】
また、丸洗い洗浄の際のフィルタＢ１、Ｂ１−１の回転を、電動モータ２０に替えて手動によって行うことができる。この場合、複数の歯車群からなる歯車機構を用いて、フィルタの回転軸に係脱自在に連結されるハンドルによる操作（小さな力と低速回転）によってフィルタＢ１、Ｂ１−１を高速回転させることができるように構成することが好適なものとなる。
【００５６】
また、フィルタＢ１、Ｂ１−１は、円筒状に限らず、吸引経路を上流側と下流側とに仕切る螺旋状に形成することができる。
【００５７】
また、フィルタＢ１、Ｂ１−１は、吸引経路を上流側と下流側とに仕切る程度の幅を有する平板筒状や、その他の筒状（多角筒状、正三角筒状など）に形成することができる。平板筒状とした場合、その両面をスロットタイプやパンチングメタルタイプのように、汚染空気が衝突しながら通過する孔（通気孔）などの集合体とすることができる。
そして、このような平板筒状のフィルタを備えたファンフィルタユニットを、例えば、図１に示すレンジフードＡに適用させた場合、フィルタをフィルタ支持体Ｂ１の流入口１５側と流出口１６側とを区画するように平行（整流板６と平行）とすることで、排気装置２の吸引力によって流入口１５からフィルタ支持体Ｂ１内に流入される汚染空気Ｇが孔（通気穴）を蛇行通過して流出口１６から排気ボックス２ａ内に流出されるようにすることができる。これにより、油脂分の分離回収率の向上などを期待することができる。
【００５８】
また、フィルタをフィルタ支持体に対してフリー回転するように軸支させて、汚染空気Ｇの流れによってフィルタが回転するようにすることができる。この場合、フィルタの回転支軸と電動モータとの接続を一方向回転クラッチなどの連結部材を用いて行うことで、フィルタは汚染空気Ｇの流れによってフリー回転し、かつ、電動モータによって駆動回転するように構成することができる。
【００５９】
また、ファンフィルタユニットＢ，Ｂ−１を、整流板６の四辺周縁に沿わせたその上（裏側）にそれぞれ着脱可能に配設することができる。この場合、図３に示す形態のファンフィルタユニットＢでは、フィルタ支持体Ｂ２の流入口１５を吸込み隙間Ｓ側に、流出口１６をフード部１の連絡口５側に向けた状態で配設される。
【００６０】
また、ファンフィルタユニットＢ，Ｂ−１は、加熱調理器周りのカウンタなどに開口される吸引口からカウンタ下を通して汚染空気などが屋外に吸引排気される吸引経路の吸引口にドロップイン方式などにて着脱可能に配設して適用、或いは天井などに開口される吸引口から天井裏を通して汚染空気などが屋外に吸引排気される吸引経路の吸引口に着脱可能に配設して適用することができる。
【００６１】
また、ファンフィルタユニットＢ，Ｂ−１のフィルタＢ１、Ｂ１−１の回転を、レンジフードＡ，Ａ−１の排気装置２の運転に連動させる構成を採用した場合、排気装置２の運転が停止した時点から数秒間から数分間、フィルタＢ１、Ｂ１−１が超高速回転する設定とすることで、衝突（接触）によってフィルタＢ１、Ｂ１−１に付着回収された油脂分などの汚染物ｇが硬化する前に、フィルタＢ１、Ｂ１−１から吹き飛ばし除去することができる。これにより、日常的なメンテナンスの回数を低減させることができるなどの効果が期待できる。
【００６２】
また、前記の実施形態では吸引排気タイプのレンジフードについて説明したが、汚染空気中から汚染物が分離回収されて清浄化された後に、キッチン天井側などから室内に戻す吸引循環タイプのレンジフードとすることができる。
【００６３】
また、整流板がフード部の捕獲空間に取り付けられた状態において、ファンフィルタユニットＢ，Ｂ−１の電動モータ２０およびバッテリ２１に電力を供給する手法として、非接触給電を挙げることができる。
すなわち、レンジフードのフード部１側に、高周波磁界（高周波電力）を発生させる非接触給電部（電源Ｂ部材）を備える。そして、この非接触給電部で発生する高周波磁界による電磁誘導を利用して非接触給電部から非接触で受電した電力を電動モータ２０およびバッテリ２１へ供給する非接触受電部（電源Ａ部材）をファンフィルタユニットＢ，Ｂ−１に備えてなる構成とすることができる。
【符号の説明】
【００６４】
Ａ，Ａ−１  レンジフード
Ｂ，Ｂ−１  ファンフィルタユニット
Ｂ１，Ｂ１−１  フィルタ支持体
Ｂ２，Ｂ２−１  フィルタ
１      フード部
２      排気装置
２ａ    排気ボックス
２ｂ    排気ファン
４      電源スイッチ（レンジフード）
６      整流板
７      電源Ｂ端子（電源Ｂ部材）
１４    吸引口
２０    電動モータ
２１    バッテリ
２２    電源Ａ端子（電源Ａ部材）
２３    電源スイッチ（ファンフィルタユニット）
２６    洗浄用容器
Ｓ      吸込み隙間
Ｍ      捕獲空間
Ｇ      汚染空気
ｇ      汚染物
Ｗ      洗浄液
【図１】
0005480570.tif 000002
【図２】
0005480570.tif 000003
【図３】
0005480570.tif 000004
【図４】
0005480570.tif 000005
【図５】
0005480570.tif 000006
【図６】
0005480570.tif 000007
【図７】
0005480570.tif 000008
【図８】
0005480570.tif 000009
【図９】
0005480570.tif 000010
【図１０】
0005480570.tif 000011